(57)【特許請求の範囲】
【請求項１】
複数のエリアを予め定めた間隔を空けて形成するように、前記複数のエリアにおけるそれぞれのエリアの範囲を定義するエリア情報を、ユーザの状態を示す状態情報に対応付けて記憶する記憶手段と、
ユーザが所有する携帯端末の位置を検出する位置検出手段と、
前記エリア情報ごとに、前記位置検出手段により携帯端末の位置を測位した測位回数を記憶する頻度記憶手段と、
前記位置検出手段により検出された携帯端末が位置するエリアを示すエリア情報に基づいて状態情報を前記記憶手段から読み出すことで、携帯端末は一のエリアにいると判断した場合、読み出した状態情報をプレゼンス情報として記憶し、前記位置検出手段により検出された携帯端末が位置するエリアを特定することができないと判断した場合、前記検出された位置の近傍に配置される複数のエリアから、前記頻度記憶手段に記憶されている測位回数に基づいてユーザが位置する一のエリアを判断し、当該一のエリアのエリア情報に基づいて、ユーザの状態情報を記憶手段から読み出し、プレゼンス情報として記憶するプレゼンス管理手段と、
を備えるプレゼンス管理装置。
【請求項２】
複数のエリアを予め定めた間隔を空けて形成するように、前記複数のエリアにおけるそれぞれのエリアの範囲を定義するエリア情報を、ユーザの状態を示す状態情報に対応付けて記憶し、前記間隔を空けて形成された前記複数のエリアのエリア間に配置されている境界エリアの範囲を示すエリア情報を、境界エリアであることを示す識別情報に対応付けて記憶する記憶手段と、
ユーザが所有する携帯端末の位置を検出する位置検出手段と、
前記エリア情報ごとに、前記位置検出手段により携帯端末の位置を測位した測位回数を記憶する頻度記憶手段と、
前記位置検出手段により検出された携帯端末が位置するエリアを示すエリア情報に基づいて状態情報を、前記記憶手段から読み出すことで、携帯端末は一のエリアにいると判断した場合、読み出した状態情報をプレゼンス情報として記憶し、前記位置検出手段により検出された携帯端末が位置するエリアのエリア情報に基づいて、前記記憶手段から識別情報を読み出すことで、ユーザが位置するエリアが境界エリアと判断した場合、前記境界エリアの近傍に位置する複数のエリアから、前記頻度記憶手段に記憶されている測位回数に基づいてユーザが位置する一のエリアを判断し、当該一のエリアのエリア情報に基づいて、ユーザの状態情報を記憶手段から読み出し、プレゼンス情報として記憶するプレゼンス管理手段と、
を備えるプレゼンス管理装置。
【請求項３】
複数のエリアを予め定めた間隔を空けて形成するように、前記複数のエリアにおけるそれぞれのエリアの範囲を定義するエリア情報を、ユーザの状態を示す状態情報に対応付けて記憶する記憶手段および前記エリア情報ごとに、前記位置検出手段により携帯端末の位置を測位した測位回数を記憶する頻度記憶手段を有するプレゼンス管理装置のプレゼンス管理方法において、
ユーザが所有する携帯端末の位置を検出する位置検出ステップと、
前記位置検出ステップにおいて検出されるたびに、前記頻度記憶手段にエリア情報ごとの測位回数を記憶する頻度記憶ステップと、
前記位置検出ステップにより検出された携帯端末が位置するエリアを示すエリア情報に基づいて状態情報を前記記憶手段から読み出すことで、携帯端末は一のエリアにいると判断した場合、読み出した状態情報をプレゼンス情報として記憶し、前記位置検出ステップにより検出された携帯端末が位置するエリアを特定することができないと判断した場合、前記検出した位置の近傍に配置される複数のエリアから、前記頻度記憶手段に記憶されている測位回数に基づいてユーザが位置する一のエリアを判断し、当該一のエリアのエリア情報に基づいて、ユーザの状態情報を記憶手段から読み出し、プレゼンス情報として記憶するプレゼンス管理ステップと、
を備えるプレゼンス管理方法。
【請求項４】
複数のエリアを予め定めた間隔を空けて形成するように、前記複数のエリアにおけるそれぞれのエリアの範囲を定義するエリア情報を、ユーザの状態を示す状態情報に対応付けて記憶し、前記間隔を空けて形成された前記複数のエリアのエリア間に配置されている境界エリアの範囲を示すエリア情報を、境界エリアであることを示す識別情報に対応付けて記憶する記憶手段および前記エリア情報ごとに、前記位置検出手段により携帯端末の位置を測位した測位回数を記憶する頻度記憶手段を有するプレゼンス管理装置のプレゼンス管理方法において、
ユーザが所有する携帯端末の位置を検出する位置検出ステップと、
前記位置検出ステップにおいて検出されるたびに、前記頻度記憶手段にエリア情報ごとの測位回数を記憶する頻度記憶ステップと、
前記位置検出ステップにより検出された携帯端末が位置するエリアを示すエリア情報に基づいて状態情報を、前記記憶手段から読み出し、携帯端末は一のエリアにいると判断した場合、読み出した状態情報をプレゼンス情報として記憶し、前記位置検出ステップにより検出された携帯端末が位置するエリアのエリア情報に基づいて、前記記憶手段から識別情報を読み出すことで、ユーザが位置するエリアが境界エリアと判断した場合、前記境界エリアの近傍に位置する複数のエリアから、前記頻度記憶手段に記憶されている測位回数に基づいてユーザが位置する一のエリアを判断し、当該一のエリアのエリア情報に基づいて、ユーザの状態情報を記憶手段から読み出し、プレゼンス情報として記憶するプレゼンス管理ステップと、
を備えるプレゼンス管理方法。
【発明の詳細な説明】
【技術分野】
【０００１】
本発明は、ユーザの位置に対応したプレゼンス情報を管理するプレゼンス管理装置およびプレゼンス管理方法に関する。
【背景技術】
【０００２】
ユーザのプレゼンス情報を管理する技術として、特許文献１に記載のプレゼンス情報管理装置が挙げられる。この特許文献１に記載のプレゼンス情報管理装置は、サービス制御ノードからステータスを受信することにより、ユーザの状態を示すプレゼンス情報を管理し、また更新することができる。
【特許文献１】特開２００４−３１８５２９号公報
【発明の開示】
【発明が解決しようとする課題】
【０００３】
ここで、ユーザの位置に応じてプレゼンス情報を更新することができると便利である。例えば、ワイヤレスＬＡＮなどを用いてユーザが保持している携帯端末に対して位置測位を行い、位置測位により得た位置情報に基づいて、ユーザの位置（場所）およびユーザの状態を更新して利用することができるプレゼンス管理装置が考えられる。
【０００４】
しかしながら、このように位置を測位する方法においては、誤差が発生する場合がある。よって、上述のプレゼンス管理装置は、測位誤差により、一のエリアにユーザが存在しているのにもかかわらず、この一のエリアとは別のエリアにユーザが存在している、と判断してしまい、ユーザ（携帯端末）が位置しているエリアを誤認してしまう、といったことが考えられる。
【０００５】
したがって、ユーザ（携帯端末）の位置に基づいてプレゼンス情報を対応付ける上述の方法では、位置測位の誤差が原因で、誤ったプレゼンス情報を認識してしまう可能性がある。
【０００６】
そこで、本発明は、ユーザが保持する携帯端末の位置に対する測位誤差を考慮してユーザのプレゼンス情報を認識して管理することができるプレゼンス管理装置およびプレゼンス管理方法を提供することを目的とする。
【課題を解決するための手段】
【０００７】
上述の課題を解決するために、本発明のプレゼンス管理装置は、複数のエリアを予め定めた間隔を空けて形成するように、前記複数のエリアにおけるそれぞれのエリアの範囲を定義するエリア情報を、ユーザの状態を示す状態情報に対応付けて記憶する記憶手段と、
ユーザが所有する携帯端末の位置を検出する位置検出手段と、前記エリア情報ごとに、前記位置検出手段により携帯端末の位置を測位した測位回数を記憶する頻度記憶手段と、前記位置検出手段により検出された携帯端末が位置するエリアを示すエリア情報に基づいて状態情報を前記記憶手段から読み出すことで、携帯端末は一のエリアにいると判断した場合、読み出した状態情報をプレゼンス情報として記憶し、前記位置検出手段により検出された携帯端末が位置するエリアを特定することができないと判断した場合、前記検出された位置の近傍に配置される複数のエリアから、前記頻度記憶手段に記憶されている測位回数に基づいてユーザが位置する一のエリアを判断し、当該一のエリアのエリア情報に基づいて、ユーザの状態情報を記憶手段から読み出し、プレゼンス情報として記憶するプレゼンス管理手段と、を備えている。
【０００８】
また、本発明のプレゼンス管理方法は、複数のエリアを予め定めた間隔を空けて形成するように、前記複数のエリアにおけるそれぞれのエリアの範囲を定義するエリア情報を、ユーザの状態を示す状態情報に対応付けて記憶する記憶手段および前記エリア情報ごとに、前記位置検出手段により携帯端末の位置を測位した測位回数を記憶する頻度記憶手段を有するプレゼンス管理装置のプレゼンス管理方法において、ユーザが所有する携帯端末の位置を検出する位置検出ステップと、前記位置検出ステップにおいて検出されるたびに、前記頻度記憶手段にエリア情報ごとの測位回数を記憶する頻度記憶ステップと、前記位置検出ステップにより検出された携帯端末が位置するエリアを示すエリア情報に基づいて状態情報を前記記憶手段から読み出すことで、携帯端末は一のエリアにいると判断した場合、読み出した状態情報をプレゼンス情報として記憶し、前記位置検出ステップにより検出された携帯端末が位置するエリアを特定することができないと判断した場合、前記検出した位置の近傍に配置される複数のエリアから、前記頻度記憶手段に記憶されている測位回数に基づいてユーザが位置する一のエリアを判断し、当該一のエリアのエリア情報に基づいて、ユーザの状態情報を記憶手段から読み出し、プレゼンス情報として記憶するプレゼンス管理ステップと、を備えている。
【０００９】
この発明によれば、複数のエリアを予め定めた間隔を空けて形成するように、複数のエリアにおけるそれぞれのエリアの範囲を定義するエリア情報を、ユーザの状態を示す状態情報に対応付けて記憶しておき、ユーザが所有する携帯端末の位置を検出し、検出された携帯端末が位置するエリアを示すエリア情報に基づいて状態情報を読み出すことで、携帯端末は一のエリアにいると判断した場合、読み出した状態情報をプレゼンス情報として記憶し、検出された携帯端末の位置に対応したエリアをエリア情報に基づいて特定することができないと判断した場合、エリアを示すエリア情報ごとに、携帯端末の位置を測位した測位回数を記憶しておき、記憶されている測位回数に基づいてユーザが位置するエリアを判断し、判断したエリアのエリア情報に基づいて、ユーザの状態情報を記憶手段から読み出し、記憶することができる。
これにより、携帯端末を保持するユーザが、一のエリアにいるにもかかわらず、一のエリアを越えた隣接する他のエリアに位置すると判断されることなく、エリア同士の予め定めた間隔内に存在する場合は、状態情報を読み出すことなく、既に記憶しているプレゼンス情報を維持することで、携帯端末の位置検出における誤差に基づいて誤ってユーザの状態を認識することを防止することができ、ユーザが保持する携帯端末の位置に対応した正確なプレゼンス情報を記憶しておくことができる。また、境界エリアをエリア情報として定義していないことから、あらかじめ用意しておかなければならない情報の情報量を少なくすることができる。また、統計情報に基づいた処理を行うことができ、過去の情報に基づいてユーザが位置しているエリアを判断することができ、判断したエリアのエリア情報に基づいた正確なプレゼンス情報の管理を行うことができる。
【００１０】
また、本発明のプレゼンス管理装置は、複数のエリアを予め定めた間隔を空けて形成するように、前記複数のエリアにおけるそれぞれのエリアの範囲を定義するエリア情報を、ユーザの状態を示す状態情報に対応付けて記憶し、前記間隔を空けて形成された前記複数のエリアのエリア間に配置されている境界エリアの範囲を示すエリア情報を、境界エリアであることを示す識別情報に対応付けて記憶する記憶手段と、ユーザが所有する携帯端末の位置を検出する位置検出手段と、前記エリア情報ごとに、前記位置検出手段により携帯端末の位置を測位した測位回数を記憶する頻度記憶手段と、前記位置検出手段により検出された携帯端末が位置するエリアを示すエリア情報に基づいて状態情報を、前記記憶手段から読み出すことで、携帯端末は一のエリアにいると判断した場合、読み出した状態情報をプレゼンス情報として記憶し、前記位置検出手段により検出された携帯端末が位置するエリアのエリア情報に基づいて、前記記憶手段から識別情報を読み出すことで、ユーザが位置するエリアが境界エリアと判断した場合、前記境界エリアの近傍に位置する複数のエリアから、前記頻度記憶手段に記憶されている測位回数に基づいてユーザが位置する一のエリアを判断し、当該一のエリアのエリア情報に基づいて、ユーザの状態情報を記憶手段から読み出し、プレゼンス情報として記憶するプレゼンス管理手段と、を備えている。
【００１１】
また、本発明のプレゼンス管理方法は、複数のエリアを予め定めた間隔を空けて形成するように、前記複数のエリアにおけるそれぞれのエリアの範囲を定義するエリア情報を、ユーザの状態を示す状態情報に対応付けて記憶し、前記間隔を空けて形成された前記複数のエリアのエリア間に配置されている境界エリアの範囲を示すエリア情報を、境界エリアであることを示す識別情報に対応付けて記憶する記憶手段および前記エリア情報ごとに、前記位置検出手段により携帯端末の位置を測位した測位回数を記憶する頻度記憶手段を有するプレゼンス管理装置のプレゼンス管理方法において、ユーザが所有する携帯端末の位置を検出する位置検出ステップと、前記位置検出ステップにおいて検出されるたびに、前記頻度記憶手段にエリア情報ごとの測位回数を記憶する頻度記憶ステップと、前記位置検出ステップにより検出された携帯端末が位置するエリアを示すエリア情報に基づいて状態情報を、前記記憶手段から読み出し、携帯端末は一のエリアにいると判断した場合、読み出した状態情報をプレゼンス情報として記憶し、前記位置検出ステップにより検出された携帯端末が位置するエリアのエリア情報に基づいて、前記記憶手段から識別情報を読み出すことで、ユーザが位置するエリアが境界エリアと判断した場合、前記境界エリアの近傍に位置する複数のエリアから、前記頻度記憶手段に記憶されている測位回数に基づいてユーザが位置する一のエリアを判断し、当該一のエリアのエリア情報に基づいて、ユーザの状態情報を記憶手段から読み出し、プレゼンス情報として記憶するプレゼンス管理ステップと、を備えている。
【００１２】
この発明によれば、複数のエリアを予め定めた間隔を空けて形成するように、複数のエリアにおけるそれぞれのエリアの範囲を定義するエリア情報を、ユーザの状態を示す状態情報に対応付けて記憶し、複数のエリアにおけるエリア同士の間に密接して形成されている境界エリアの範囲を示すエリア情報を、境界エリアであることを示す識別情報に対応付けて記憶しておき、ユーザが所有する携帯端末の位置を検出し、検出された携帯端末が位置するエリアを示すエリア情報に基づいて状態情報を読み出すことで、携帯端末は一のエリアにいると判断した場合、読み出した状態情報をプレゼンス情報として記憶し、検出された携帯端末が位置するエリアのエリア情報に基づいて識別情報を読み出すことで、ユーザが位置するエリアが境界エリアと判断した場合、前記境界エリアの近傍に位置する複数のエリアから、前記頻度記憶手段に記憶されている測位回数に基づいてユーザが位置する一のエリアを判断し、当該一のエリアのエリア情報に基づいて、ユーザの状態情報を記憶手段から読み出し、プレゼンス情報として記憶することができる。これにより、携帯端末を保持するユーザが、一のエリアにいるにもかかわらず、一のエリアを越えた隣接する他のエリアに位置すると判断されることなく、エリア同士の予め定めた間隔内に存在する場合は、状態情報を読み出すことなく、既に記憶しているプレゼンス情報を維持することで、携帯端末の位置検出における誤差に基づいて誤ってユーザの状態を認識することを防止することができ、ユーザが保持する携帯端末の位置に対応した正確なプレゼンス情報を記憶しておくことができる。また、統計情報に基づいた処理を行うことができ、過去の情報に基づいてユーザが位置しているエリアを判断することができ、判断したエリアのエリア情報に基づいた正確なプレゼンス情報の管理を行うことができる。
【発明の効果】
【００１６】
本発明は、携帯端末の位置検出における誤差に基づいて誤ってユーザの状態を認識することを防止することができ、ユーザが保持する携帯端末の位置に対応した正確なプレゼンス情報を記憶しておくことができる。
【発明を実施するための最良の形態】
【００１７】
本発明は、一実施形態のために示された添付図面を参照して以下の詳細な記述を考慮することによって容易に理解することができる。引き続いて、添付図面を参照しながら本発明の実施形態を説明する。可能な場合には、同一の部分には同一の符号を付して、重複する説明を省略する。
【００１８】
まず、第１の実施形態のプレゼンス管理装置１００が適用される環境について説明する。第１の実施形態では、図１（ｂ）に示すように、エリア１０ａである会議室１０およびエリア１１ａであるオフィス１１からなる環境を想定している。ユーザは位置測位による測位対象となる携帯端末を保持しており、プレゼンス管理装置１００は、この携帯端末を位置測位することによりエリア１０ａおよびエリア１１ａのいずれのエリアにユーザはいるか、を判断することができる。また、プレゼンス管理装置１００は、携帯端末の位置に応じたユーザの状態を示す状態情報などを特定することができるルール情報を予め記憶している。よって、プレゼンス管理装置１００は、このルール情報に基づいてユーザの位置に応じた状態情報を読み出して、ユーザのプレゼンス情報として一時記憶することで、ユーザの状態を把握することができる。また、プレゼンス管理装置１００は、そのオペレータの操作によりユーザのプレゼンス情報を表示し、また外部端末からの要求によりユーザのプレゼンス情報を送信することができる。なお、本実施形態におけるプレゼンス情報とは、ユーザの状態を示す状態情報であり、例えば、会議中、外出中、在席中などの状態情報である。また、プレゼンス情報には、状態情報に加えて、ユーザが位置する場所を特定することができる場所情報、例えば、オフィス内、会議室内などを含めてもよい。
【００１９】
つぎに、従来の技術に相当するプレゼンス管理装置１００ａについて説明する。図１（ａ）は、プレゼンス管理装置１００ａがエリア１０ａおよびエリア１１ａの範囲を物理的な範囲である会議室１０およびオフィス１１とほぼ同じ範囲で管理する場合における説明図である。この図１（ａ）に示したようなエリアが形成されている場合、エリア同士の境界線付近にユーザ（携帯端末）がいるとき、位置測位の誤差が原因で、ユーザ（携帯端末）は本来会議室１０にいるにもかかわらずオフィス１１にいると、プレゼンス管理装置１００ａは判断する場合がある。このとき、プレゼンス管理装置１００ａは、オフィス１１を示すエリア１１ａに対応するルール情報に基づいた状態情報および場所情報を読み出すことになり、誤ったユーザの状態を認識してしまう。
【００２０】
これを防止するために、図１（ｂ）に示す第１の実施形態の概要を示す説明図においては、プレゼンス管理装置１００は、ユーザ（携帯端末）の位置測位に誤差が生じても、ユーザの状態を誤認識しないように、会議室１０を示すエリア１０ａおよびオフィス１１を示すエリア１１ａとの間に測位誤差を吸収することができる境界エリアを形成するようにエリアを示すエリア情報を記憶している。そして、この境界エリアにユーザがいるとプレゼンス管理装置１００が判断した場合、プレゼンス管理装置１００は、直近で読み出したユーザの状態情報および場所情報を書き換えることなく、当該ユーザのプレゼンス情報を維持する処理を行う。よって、測位誤差があったとしても、誤った状態情報および場所情報を読み出すことがなくなる。
【００２１】
なお、境界エリアとは、エリア１０ａおよびエリア１１ａの範囲を物理的な範囲である会議室１０およびオフィス１１より小さい範囲として認識しておくことから生じた仮想的なエリアである。プレゼンス管理装置１００は、エリア１０ａおよびエリア１１ａを予め定めた間隔をあけて、境界エリアを形成できるように、エリア１０ａおよびエリア１１ａの範囲を定めておく必要がある。
【００２２】
このように動作する第１の実施形態におけるプレゼンス管理装置１００の詳細について説明する。図２は、プレゼンス管理装置１００のブロック構成図である。プレゼンス管理装置１００は、エリアテーブル１０１（記憶手段）、変換ルールテーブル１０２（記憶手段）、位置検出部１０３（位置検出手段）、プレゼンス管理部１０４（プレゼンス管理手段）、通信部１０５、および表示部１０６を含んで構成されている。なお、エリアテーブル１０１および変換ルールテーブル１０２は、その内容を対応付けて記憶させて同一テーブルとして構成されてもよい。
【００２３】
エリアテーブル１０１は、エリアを特定するエリア情報を記憶する記憶テーブルであり、エリア名と、エリアを特定することができる２つのエリア端座標と、を対応付けて、エリアごとにエリア情報として記憶する記憶テーブルである。ここで具体例について図３を用いて説明する。図３は、このエリアテーブル１０１のエリア情報の具体例を示す説明図である。図３に示すように、エリアテーブル１０１は、例えば、エリア名である“エリア１０ａ”（エリアＩＤ：１０ａ）と、エリアを特定することができる２つのエリア端座標１（Ｘ１、Ｙ１）およびエリア端座標２（Ｘ２、Ｙ２）と、を対応付けて記憶している。
【００２４】
変換ルールテーブル１０２は、当該ユーザが位置するエリアに対応したユーザのプレゼンス情報を特定するルール情報を、ユーザごとに記憶する記憶テーブルであり、ユーザ名（ＩＰアドレス）と、エリア名と、ユーザが位置する場所を示す場所情報と、ユーザの状態を示す状態情報とを対応付けて記憶する記憶テーブルである。ここで具体例について図４を用いて説明する。図４は、この変換ルールテーブル１０２の具体例を示す説明図である。図４に示すように、ユーザ名、およびエリア名を示すエリアＩＤに対応付けて場所情報および状態情報を記憶している。なお、ユーザが保持する携帯端末のＩＰアドレスを用いてユーザを特定することもできる。図４では、例えば、ユーザ名として“Ａ”、このユーザのＩＰアドレスとして“１９２．１６８．２０．５４”、このユーザに対応するエリア１０ａに、場所情報として「会議室」、状態情報として「会議中」、が対応付けて記憶されている。なお、変換ルールテーブル１０２は、少なくとも状態情報を記憶していることが好ましい。
【００２５】
位置検出部１０３は、ユーザが保持する携帯端末の位置を、ワイヤレスＬＡＮを利用して検出する部分であり、ＬＡＮおよびワイヤレスＬＡＮを経由して送信された携帯端末の位置情報を、通信部１０５を経由して受信することで、携帯端末の位置を検出することができる。
【００２６】
プレゼンス管理部１０４は、位置検出部１０３により検出されたユーザ（携帯端末）の位置、エリアテーブル１０１に記憶されているエリア情報に基づいて、ユーザの位置に応じたエリアを識別する。そして、プレゼンス管理部１０４は、変換ルールテーブル１０２に記憶されているルール情報に基づいて、識別したエリアのエリア名（またはエリアＩＤ）に対応する状態情報および場所情報を読み出し、当該ユーザのプレゼンス情報として一時的に記憶する。このプレゼンス管理部１０４は、一時的に記憶しているプレゼンス情報を、通信部１０５を経由して他の通信端末に出力し、また表示部１０６に出力することで、他の通信端末に、または表示部１０６にユーザのプレゼンス情報を表示させることができる。
【００２７】
また、プレゼンス管理部１０４は、識別したエリアが境界エリアか否かを判断する。プレゼンス管理部１０４は、識別したエリアが境界エリアであると判断した場合は、プレゼンス管理部１０４の内部に記憶しているプレゼンス情報を更新することなく維持する処理を行う。ここで、プレゼンス管理部１０４は、エリアテーブル１０１に記憶されているエリア情報に基づいて、ユーザが位置するエリアを識別できない場合、ユーザが位置するエリアは境界エリアであると判断し、プレゼンス管理部１０４内に記憶する当該ユーザのプレゼンス情報を更新することなく維持する処理を行う。
【００２８】
また、プレゼンス管理部１０４は、ワイヤレスＬＡＮの圏内にユーザがいるか否かを判断することができ、ワイヤレスＬＡＮの圏内にユーザはいないと判断した場合は、プレゼンス管理部１０４内に記憶されているプレゼンス情報を、ユーザは「外出中」である旨の状態情報に書き換える処理を行う。
【００２９】
通信部１０５は、ＬＡＮに接続され、データの通信を行う部分であり、プレゼンス情報を要求した通信端末に送信する。また、表示部１０６は、データを表示する部分であり、プレゼンス情報を表示する。
【００３０】
このように構成された第１の実施形態におけるプレゼンス管理装置１００の動作について説明する。図５は、第１の実施形態におけるプレゼンス管理装置１００の動作を示すフローチャートである。まず、位置検出部１０３により、一のユーザについての位置を検出するために、ワイヤレスＬＡＮにより測位されたユーザ（携帯端末）の位置を示す位置情報が検出される（Ｓ１０１）。検出しようとした一のユーザの位置が、ワイヤレスＬＡＮ（ＷＬＡＮ）圏内にあるか否かが、プレゼンス管理部１０４により判断される（Ｓ１０２）。
【００３１】
Ｓ１０２において、ワイヤレスＬＡＮ圏内ではない、つまり位置検出部１０３が一のユーザの位置を検出できないと、プレゼンス管理部１０４により判断された場合、プレゼンス管理部１０４内のプレゼンス情報の更新処理が行われる（Ｓ１０６）。ここでは、プレゼンス情報の更新処理として、図４に示される変換ルールテーブル１０２に記述されている「圏外」の項目に対応する状態情報「外出中」が読み出される。プレゼンス管理部１０４に記憶されている、検出しようとした一のユーザのプレゼンス情報は、状態情報「外出中」（この場合、場所情報はない）を示す状態情報に書き換えられ、プレゼンス管理部１０４に記憶されている、検出しようとする一のユーザのプレゼンス情報は更新される。
【００３２】
また、Ｓ１０２において、一のユーザはワイヤレスＬＡＮ圏内にいると、つまり、位置検出部１０３が一のユーザの位置を検出したと、プレゼンス管理部１０４により判断された場合、エリア識別処理が、プレゼンス管理部１０４により行われる。ここでは、図３に示されるエリアテーブル１０１に記述されているエリア情報と位置検出部１０３により検出された一のユーザの位置を示す位置情報とに基づいて、一のユーザはどのエリアに存在するかが、プレゼンス管理部１０４により識別される（Ｓ１０３）。
【００３３】
つぎに、Ｓ１０３で識別されたエリアが、境界エリアであるか否かがプレゼンス管理部１０４により判断される（Ｓ１０４）。ここでは、プレゼンス管理部１０４によりエリアテーブル１０１のエリア情報に基づいて一のエリアが識別された場合、識別されたエリアは境界エリアではない、とプレゼンス管理部１０４により判断される。また、エリア情報に基づいて一のエリアがプレゼンス管理部１０４により識別されることができない場合、識別されたエリアは境界エリアである、とプレゼンス管理部１０４により判断される。
【００３４】
つまり、位置検出部１０３により検出された一のユーザの位置を示す位置情報がエリアテーブル１０１のエリア情報内に存在するか否かが、プレゼンス管理部１０４により判断されることにより、一のユーザが存在する位置が境界エリアか否かが判断される。例えば、プレゼンス管理部１０４により検出された一のユーザの位置を示す位置情報がエリアテーブル１０１のエリア情報内に存在しない場合、その位置は境界エリアとプレゼンス管理部１０４により判断される。
【００３５】
プレゼンス管理部１０４により、一のユーザが存在するエリアを特定することができず、一のユーザの位置が境界エリアであると判断された場合、一のユーザの状態情報および場所情報は変換ルールテーブル１０２から読み出されることがなく、プレゼンス管理部１０４内に記憶されている、当該一のユーザのプレゼンス情報は維持される処理が行われる（Ｓ１０５）。
【００３６】
例えば、図１（ｂ）に示すように、一のユーザであるユーザＡは実際にはエリア１０ａである会議室１０に存在しているのにもかかわらず、エリア１１ａであるオフィス１１にいることを示す位置情報が、位置検出部１０３により検出される。しかし、ユーザＡが境界エリアにいると判断された場合、たとえ、測位した位置がエリア１１ａであるオフィス１１と判断されても、プレゼンス管理部１０４内のプレゼンス情報は維持され、エリア１０ａである会議室１０にユーザＡは存在していると認識される。
【００３７】
プレゼンス管理部１０４により一のユーザが存在する位置が境界エリアではないと判断された場合、プレゼンス管理部１０４により一のユーザが存在するエリアのエリア名（またはエリアＩＤ）に対応する状態情報および場所情報が変換ルールテーブル１０２から読み出され、プレゼンス管理部１０４内の一のユーザのプレゼンス情報としてあらためて記憶されることで更新される（Ｓ１０６）。
【００３８】
つぎに、第１の実施形態におけるプレゼンス管理装置１００を、より詳細な状況に適用したときの動作について説明する。図６は、座席２０１と２つの会議室２０３ａおよび２０３ｂとからなるオフィス２００の概要を示す概要図である。図６に示すようにオフィス２００は、複数の座席２０１、会議室２０３ａおよび会議室２０３ｂに出入りするための扉２０２、会議室２０３ａ、会議室２０３ｂ、オフィスに出入するための出入口２０４を含んで構成されている。ここで、座席２０１ａがユーザＡの座席とする。
【００３９】
このように構成されたオフィス２００に対して複数のエリアを形成した模式図を図７に表わす。図７は、図６で示したオフィス２００に対して、複数のエリアを形成した模式図である。図７で示すように、オフィス２００に形成されたエリアは、エリア１〜７に区別されて形成されている。このエリア１〜７は、プレゼンス管理装置１００のエリアテーブル１０１に、エリア端座標が記述されることにより、形成されている。具体的には、図８に示されるエリア情報が、エリアテーブル１０１に記憶されているものとする。また、図９に示されるルール情報が、変換ルールテーブル１０２に記憶されているものとする。
【００４０】
ここで図８および図９について説明する。図８は、図７に示されるエリア１〜７を形成するためのエリア情報を示す説明図であって、このエリア情報はエリアテーブル１０１に記憶されている。このエリアテーブル１０１は、エリア情報として、エリア１〜７のそれぞれのエリア端座標を記憶している。また、図９は、図７に示されるエリア１〜７および圏外エリアごとに状態情報および場所情報を対応付けるルール情報を示す説明図であって、このルール情報は、変換ルールテーブル１０２に記憶されている。この変換ルールテーブル１０２は、例えば、ルール情報として、エリア１に対応する場所情報「会議室１」、状態情報「会議中」を記憶している。
【００４１】
このようなエリア情報およびルール情報を有するプレゼンス管理装置１００を、図６に示すオフィスに適用した際におけるプレゼンス管理部１０４内のユーザＡのプレゼンス情報を更新するときの具体的な動作について説明する。まず、ユーザＡが、座席２０１ａに座っている場合、位置検出部１０３により検出されたユーザＡの位置に基づいてプレゼンス管理部１０４によりユーザＡはエリア６にいると判断される（１）。プレゼンス管理部１０４により、変換ルールテーブル１０２から、ユーザＡが位置するエリアのエリア名（またはエリアＩＤ）に対応した場所情報および状態情報が読み出される。ここでは、図９に示す変換ルールテーブル１０２に記憶されているルール情報に基づいて、ユーザＡが位置するエリア６に対応する場所情報「オフィス内」、状態情報「在席中」が読み出され、プレゼンス管理部１０４に当該ユーザＡのプレゼンス情報として一時記憶される。
【００４２】
つぎに、ユーザＡが（２）で示す位置に移動した場合に、位置検出部１０３によりユーザＡの位置の検出が行われたとき、プレゼンス管理部１０４によりユーザＡはエリア５にいると判断される（２）。このときは、プレゼンス管理部１０４によりエリア５に対応する場所情報および状態情報が読み出され、ここでは場所情報「オフィス内」、状態情報「離席中」であることが図９に示すルール情報を記憶する変換ルールテーブル１０２から読み出され、プレゼンス管理部１０４に当該ユーザＡのプレゼンス情報として一時記憶される。
【００４３】
その後、ユーザＡがエリア３とエリア４との間である境界エリアにいたときに、位置検出部１０３により、ユーザＡの位置が検出されたとする（３）。このとき、境界エリアにユーザＡはいるため、その直前の情報である（２）にいたときのプレゼンス情報がそのまま維持されることになり、エリア５にいるときの場所情報「オフィス内」、状態情報「離席中」であるプレゼンス情報がプレゼンス管理部１０４内でそのまま維持される。そして、ユーザＡは会議室２０３ｂに入室し、会議室２０３ｂにいることが位置検出部１０３により検出される。プレゼンス管理部１０４によりユーザＡは会議室２０３ｂにいることが認識され、対応する状態情報および場所情報が読み出される（４）。ここでは、プレゼンス管理部１０４により場所情報「会議室２」、状態情報「会議中」が、図９に示すルール情報を記憶する変換ルールテーブル１０２から読み出され、プレゼンス管理部１０４に当該ユーザＡのプレゼンス情報として一時記憶される。
【００４４】
ここでユーザＡは、会議室２０３ｂ内の隅にいた場合、測位誤差により会議室２０３ａの位置にいると、位置検出部１０３により検出される場合がある。しかし、この位置は、エリア１とエリア２との間に形成されている境界エリアであると、プレゼンス管理部１０４により判断される（４’）。そして、プレゼンス管理部１０４では、ユーザＡのプレゼンス情報である場所情報「会議室２」、状態情報「会議中」が維持される。
【００４５】
つぎに、ユーザＡは、会議室２０３ｂからエリア７を通って外出しようとする際に、ユーザＡはエリア７にいると、プレゼンス管理部１０４により判断される（５）。ここでは、図９に示すルール情報を記憶する変換ルールテーブル１０２から状態情報「外出中」（ここでは場所情報はない）が読み出され、当該ユーザＡのプレゼンス情報としてプレゼンス管理部１０４に一時記憶される。ユーザＡは、オフィスの外に出ると、ワイヤレスＬＡＮの圏外に行くことになり、例えば（６）の位置で、位置検出部１０３によりユーザＡの位置の検出が行われると、位置を検出することができず、ワイヤレスＬＡＮの圏外であると、プレゼンス管理部１０４により判断され、場所情報「圏外」、状態情報「外出中」が、図９に示すルール情報を記憶する変換ルールテーブル１０２から読み出され、当該ユーザＡのプレゼンス情報としてプレゼンス管理部１０４に一時記憶される。
【００４６】
このように、プレゼンス管理部１０４は、位置検出部１０３により検出された位置に基づいてユーザＡが位置するエリアを把握し、そのエリアに応じた状態情報および場所情報を読み出してプレゼンス情報として記憶するとともに、ユーザＡが境界エリアにいるときには、直近で読み出したプレゼンス情報を維持するように処理するため、測位誤差により、誤ったプレゼンス情報を読み出すことがなく、正確なユーザＡのプレゼンス情報を把握することができる。
【００４７】
以上の第１の実施形態では、エリアテーブル１０１で記憶されているエリアに含まれていないエリアは、境界エリアであると認識していたが、これに限るものではなく、エリアテーブル１０１は、境界エリアを示すエリア端座標を記憶するようにしても良い。
【００４８】
以下、エリアテーブル１０１に境界エリアとしてエリア端座標を記憶したときの第２の実施形態について説明する。なお、第２の実施形態におけるプレゼンス管理装置１００は、図６に示されるブロック構成図と同じであるが、エリアテーブル１０１に記憶されるエリア情報および変換ルールテーブル１０２に記憶されるルール情報に、境界エリアが明確に定義されている点で相違する。
【００４９】
ここで、エリアテーブル１０１に記憶されるエリア情報および変換ルールテーブル１０２に記憶されるプレゼンス情報について説明する。図１０は、第２の実施形態におけるエリアテーブル１０１に記憶されるエリア情報を示す説明図である。このエリアテーブル１０１は、エリア情報として、エリア１〜１３のそれぞれのエリア端座標を記憶している。
【００５０】
また、図１１は、変換ルールテーブル１０２に記憶されているルール情報を示す説明図である。第２の実施形態においては、変換ルールテーブル１０２は、図１１に示すようにルール情報として、エリア名（またはエリアＩＤ）ごとに場所情報および状態情報を対応付けて記憶している。また、変換ルールテーブル１０２は、境界エリアを示す情報として、境界エリアであるエリア８〜１３ごとに、直近でプレゼンス管理部１０４に記憶されているプレゼンス情報を維持することを示す識別情報を記憶している。例えば、変換ルールテーブル１０２は、ルール情報として、エリア１に対応する場所情報「会議室１」、状態情報「会議中」を記憶し、また、エリア８に対応して、場所情報「Ｐｌａｃｅ」、状態情報「Ｓｔａｔｕｓ」を記憶している。これら場所情報「Ｐｌａｃｅ」、状態情報「Ｓｔａｔｕｓ」は、プレゼンス管理装置１００において、エリア８にユーザＡがいたことが検出された場合は、直近にプレゼンス管理部１０４に一時記憶されているプレゼンス情報を更新することなく維持する処理を行うことを示す識別情報であって、境界エリアであることを示す識別情報である。なお、変換ルールテーブル１０２は、少なくとも状態情報を記憶していることが好ましい。
【００５１】
このように構成された第２の実施形態におけるプレゼンス管理装置１００の動作について説明する。図１２は、第２の実施形態におけるプレゼンス管理装置１００の動作を示すフローチャートである。
【００５２】
位置検出部１０３により一のユーザの位置が検出され（Ｓ２０１）、ワイヤレスＬＡＮ（ＷＬＡＮ）の圏内にいるかいないかが判断される（Ｓ２０２）。ワイヤレスＬＡＮの圏内にないと、プレゼンス管理部１０４により判断された場合は、図１１に示す変換ルールテーブル１０２に記憶されているルール情報に基づいて、状態情報「外出中」が読み出され、プレゼンス管理部１０４に記憶されているプレゼンス情報が書き換えられ、当該プレゼンス情報は更新処理される（Ｓ２０６）。
【００５３】
ワイヤレスＬＡＮの圏内にいると、プレゼンス管理部１０４により判断された場合は、エリア識別が行われる（Ｓ２０３）。ここでは、図１０に示すエリアテーブル１０１のエリア情報に基づいてユーザの位置に対応したエリアが、プレゼンス管理部１０４により識別される。そして、識別されたエリアが、境界エリアか否かがプレゼンス管理部１０４により判断される（Ｓ２０４）。ここでは、図１１に示す変換ルールテーブル１０２のルール情報に基づいて、ユーザが位置するエリアのエリア名（またはエリアＩＤ）に対応して読み出された場所情報および状態情報に「Ｐｌａｃｅ」および「Ｓｔａｔｕｓ」が含まれていると判断された場合、識別されたエリアは境界エリアであると、プレゼンス管理部１０４により判断される。なお、境界エリアであることを示す識別子が変換ルールテーブル１０２に記述されて、この識別子に基づいて境界エリアであることが判断されてもよい。
【００５４】
そして、識別されたエリアが境界エリアであるとプレゼンス管理部１０４により判断された場合、プレゼンス管理部１０４内においてプレゼンス情報が維持される（Ｓ２０５）。また、識別されたエリアが境界エリアではないとプレゼンス管理部１０４により判断された場合、プレゼンス管理部１０４により読み出された場所情報および状態情報に、プレゼンス管理部１０４に記憶されているプレゼンス情報を書き換えることで、当該プレゼンス情報が更新処理される（Ｓ２０６）。
【００５５】
このように動作するプレゼンス管理装置１００を図６で示したオフィスに対して適用した場合における動作について説明する。図１３は、第２の実施形態における、図６で示したオフィス２００に対して、複数のエリアおよび境界エリアを形成した模式図である。図１３で示すように、オフィス２００に形成されたエリアは、状態情報および場所情報に対応付けられた通常のエリア１〜７に加えて、境界エリアとして定められたエリア８〜１３に、区別されて形成されている。このエリア１〜７および境界エリアであるエリア８〜１３は、プレゼンス管理装置１００のエリアテーブル１０１に、エリア端座標が記述されることにより、形成されている。具体的には、図１０に示されるエリア情報が、エリアテーブル１０１に記憶されているものとする。また図１１に示され状態情報および場所情報が変換ルールテーブル１０２に記憶されているものとする。
【００５６】
まず、ユーザＡが、座席２０１ａに座っている場合、位置検出部１０３により検出されたユーザＡの位置に基づいてプレゼンス管理部１０４によりユーザＡはエリア６にいると判断される（１）。プレゼンス管理部１０４により、変換ルールテーブル１０２から、ユーザＡが位置するエリアに対応した場所情報および状態情報が読み出される。ここでは、図１１に示す変換ルールテーブル１０２に記憶されているルール情報に基づいて、ユーザＡが位置するエリア６に対応する場所情報「オフィス内」、状態情報「在席中」が、プレゼンス管理部１０４により読み出され、プレゼンス管理部１０４に一時記憶される。
【００５７】
つぎに、ユーザＡが（２）で示す位置に移動した場合に、位置検出部１０３によりユーザＡの位置の検出が行われたとき、プレゼンス管理部１０４によりユーザＡはエリア５にいると判断される（２）。このときは、プレゼンス管理部１０４によりエリア５に対応する場所情報および状態情報が読み出され、ここでは場所情報「オフィス内」、状態情報「離席中」であることが図１１に示すルール情報を記憶する変換ルールテーブル１０２から読み出され、読み出された場所情報および状態情報はプレゼンス情報としてプレゼンス管理部１０４に一時記憶される。
【００５８】
その後、ユーザＡが境界エリアであるエリア１０にいたときに、位置検出部１０３により、ユーザＡの位置が検出されたとする（３）。そして、位置検出部１０３により検出された位置のエリアに対応した場所情報および状態情報が、プレゼンス管理部１０４により変換ルールテーブル１０２から読み出される。変換ルールテーブル１０２には、エリア１０に対応して、場所情報「Ｐｌａｃｅ」、状態情報「Ｓｔａｔｕｓ」が記憶されているため、プレゼンス管理部１０４に直近に記憶されているプレゼンス情報が更新されることなく維持される。よって、その直前の情報である（２）にいたときのプレゼンス情報がそのまま維持されることになり、エリア５にいるときの場所情報「オフィス内」、状態情報「離席中」であるプレゼンス情報がプレゼンス管理部１０４内でそのまま維持される。
【００５９】
そして、ユーザＡは会議室２０３ｂに入室し、会議室２０３ｂにいることが位置検出部１０３により検出される。また、プレゼンス管理部１０４によりユーザＡは会議室２０３ｂにいることが認識され、対応する場所情報および状態情報が読み出される（４）。ここでは、プレゼンス管理部１０４により場所情報「会議室２」、状態情報「会議中」が、図１１に示すルール情報を記憶する変換ルールテーブル１０２から読み出され、プレゼンス管理部１０４に一時記憶される。
【００６０】
ここでユーザＡは、会議室２０３ｂ内の隅にいた場合、測位誤差により会議室２０３ａの位置にいると、位置検出部１０３により検出される場合がある。しかし、この検出された位置はエリア８であることが、プレゼンス管理部１０４により識別され、エリア８に対応して場所情報「Ｐｌａｃｅ」、状態情報「Ｓｔａｔｕｓ」が読み出される。そして、識別されたエリア８は境界エリアであると、プレゼンス管理部１０４により判断される（４’）。境界エリアと判断したプレゼンス管理部１０４では、プレゼンス情報が維持されることと認識される。よって、プレゼンス管理部１０４内では、ユーザＡのプレゼンス情報として場所情報「会議室２」、状態情報「会議中」が維持される。
【００６１】
その後、ユーザＡは、会議室２０３ｂからエリア７を通って外出しようとする際に、ユーザＡはエリア７にいると、プレゼンス管理部１０４により判断される（５）。ここでは、図１１に示すプレゼンス情報を記憶する変換ルールテーブル１０２から状態情報「外出中」（ここでは場所情報はない）が読み出され、プレゼンス管理部１０４にプレゼンス情報として一時記憶される。ユーザＡは、オフィスの外に出ると、ワイヤレスＬＡＮの圏外に行くことになり、例えば（６）の位置で、位置検出部１０３によりユーザＡの位置の検出が行われると、位置を検出することができず、ワイヤレスＬＡＮの圏外であると、プレゼンス管理部１０４により判断され、場所情報「圏外」、状態情報「外出中」が、図１１に示すルール情報を記憶する変換ルールテーブル１０２から読み出され、プレゼンス管理部１０４により一時記憶される。
【００６２】
このように、プレゼンス管理装置１００は、状態情報および場所情報を対応付けられたエリアと同様に境界エリアについてもその範囲を明確に定義し、境界エリアに対応したルール情報を記憶することで、上述第１の実施形態と同様の効果を得ることができる。すなわち、プレゼンス管理部１０４は、位置検出部１０３により検出された位置に基づいてユーザＡが位置するエリアを把握するとともに、そのエリアに応じた状態情報および場所情報を読み出し、読み出した状態情報および場所情報をプレゼンス情報として記憶し、またユーザＡが境界エリアにいるときには、直近で読み出したプレゼンス情報を維持するように処理するため、測位誤差により、誤った状態情報および場所情報を読み出すことがなく、正確なユーザＡのプレゼンス情報を把握することができる。
【００６３】
つぎに、ユーザが位置する頻度に応じてプレゼンス情報の更新処理を変えることができる第３の実施形態のプレゼンス管理装置１００ｂについて説明する。図１４は、第３の実施形態におけるプレゼンス管理装置１００ｂのブロック構成図である。プレゼンス管理装置１００ｂは、エリアテーブル１０１、変換ルールテーブル１０２、位置検出部１０３、プレゼンス管理部１０４ａ、通信部１０５、表示部１０６、および頻度テーブル１０７（頻度記憶手段）を含んで構成されている。なお、エリアテーブル１０１および変換ルールテーブル１０２は、その内容を対応付けて記憶させて同一テーブルとして構成されてもよい。
【００６４】
エリアテーブル１０１から位置検出部１０３、および通信部１０５並びに表示部１０６については、第１の実施形態または第２の実施形態と同じ作用効果を奏するよう構成されているものであるため、その説明を省略する。
【００６５】
プレゼンス管理部１０４ａは、上述の第１の実施形態または第２の実施形態の動作に加えて、以下の機能を有する。つまり、プレゼンス管理部１０４ａは、ユーザが境界エリアに存在すると識別した場合、当該境界エリアの近傍のエリア、例えば境界エリアに隣接するエリアにおける、当該ユーザが測位された回数を示す測位回数を頻度テーブル１０７から読み出し、読み出した測位回数に基づいてエリアごとの存在確率を算出する機能を有する。そして、プレゼンス管理部１０４ａは、算出した存在確率に基づいて、ユーザがどのエリアに存在するかを判断し（例えば、存在確率に基づいて、択一的に選択し、また存在確率の高い方を選択する）、判断したエリアに対応するプレゼンス情報を読み出す。なお、プレゼンス管理部１０４ａは、存在確率が予め定めた閾値未満の場合には、ユーザが存在するエリアを判断することなく、プレゼンス情報を維持する動作を行うことができる機能を有するようにしても良い。
【００６６】
頻度テーブル１０７は、エリアごとに区別して、ユーザが測位された測位回数（頻度）を示す頻度情報を記憶する記憶テーブルである。その具体例を図１５に示す。図１５は、頻度テーブル１０７に記憶されている頻度情報を示す説明図である。頻度テーブル１０７は、頻度情報として、ユーザ名、エリア名、および測位回数をそれぞれ対応付けて記憶している。例えば、図１５においては、ユーザＡは、エリア１に５０００回測位されたことが、頻度テーブル１０７に記憶されている。
【００６７】
つぎに、このように構成されたプレゼンス管理装置１００ｂの動作について図１６に基づいて説明する。図１６は、第３の実施形態におけるプレゼンス管理装置１００ｂの動作を示すフローチャートである。
【００６８】
まず、位置検出部１０３により、検出しようとしたユーザの位置を示す位置情報が検出される（Ｓ３０１）。つぎに、検出しようとしたユーザの位置が、ワイヤレスＬＡＮ圏内にあるか否かが、プレゼンス管理部１０４ａにより判断される（Ｓ３０２）。ここで、ワイヤレスＬＡＮ（ＷＬＡＮ）圏内ではない、つまり位置検出部１０３がユーザの位置情報を検出できないと、プレゼンス管理部１０４ａにより判断された場合、ユーザは外出している旨を示す状態情報をプレゼンス情報としてプレゼンス管理部１０４ａ内に記憶し、プレゼンス情報の更新処理が行われる（Ｓ３０８）。
【００６９】
また、Ｓ３０２において、ユーザはワイヤレスＬＡＮ圏内にいると、つまり、位置検出部１０３がユーザの位置情報を検出したと、プレゼンス管理部１０４ａにより判断された場合、エリア識別処理が、プレゼンス管理部１０４ａにより行われる。（Ｓ３０３）。なお、エリアテーブル１０１に境界エリアを定義していない場合は（例えば、第１の実施形態の図８で示したエリア情報を記憶するエリアテーブル１０１の場合）、エリアを識別できない場合があり、この場合はエリアが識別できなかった旨の識別処理を行う。また、エリアが識別されたときに、プレゼンス管理部１０４ａにより、頻度テーブル１０７において、識別されたエリアに対応する測位回数が１つ増加される。
【００７０】
つぎに、Ｓ３０３で識別されたエリアが、境界エリアであるか否かがプレゼンス管理部１０４ａにより判断される。ここでは、プレゼンス管理部１０４ａによりエリアテーブル１０１のエリア情報に基づいて識別されたエリアが境界エリアであるか否かが、変換ルールテーブル１０２のプレゼンス情報に基づいてプレゼンス管理部１０４ａにより判断される（Ｓ３０４）。なお、境界エリアが定義されていない場合においては、エリアを識別できなかったか否かがプレゼンス管理部１０４ａにより判断される（Ｓ３０４）。
【００７１】
ユーザが位置しているエリアが境界エリアではないと、プレゼンス管理部１０４ａにより判断された場合、変換ルールテーブル１０２からユーザが位置するエリアに対応する状態情報および場所情報が読み出される。そして、読み出された状態情報および場所情報が当該ユーザのプレゼンス情報としてプレゼンス管理部１０４ａ内において記憶され、プレゼンス管理部１０４ａ内においてプレゼンス情報は更新される（Ｓ３０８）。
【００７２】
ユーザが位置しているエリアが境界エリアであると、プレゼンス管理部１０４ａにより判断された場合、境界エリアと判断されたエリアの近傍に形成された複数のエリアにおける測位回数が、頻度テーブル１０７から読み出される（Ｓ３０５）。なお、ここでは、境界エリアの近傍に形成されている複数のエリアとして、例えば、境界エリアに隣接するエリアにおけるユーザの測位回数が算出されることが好ましい。
【００７３】
つぎに、読み出された測位回数に基づいて存在確率が算出される（Ｓ３０６）。例えば、図７に示すエリア１およびエリア２の間に形成された境界エリアにユーザがいた場合、プレゼンス管理部１０４ａにより、その隣接するエリアであるエリア１の測位回数５０００回およびエリア２の測位回数１００００回が、図１５に示す頻度テーブル１０７に記憶されている頻度情報から読み出され、当該測位回数が加算される。そして、プレゼンス管理部１０４ａでは、加算して得た全測位回数１５０００を母数にして、エリア１における存在確率として、５０００／１５０００＝０．３３…が算出され、エリア２における存在確率として、１００００／１５０００＝０．６６…が算出される。
【００７４】
そして、プレゼンス管理部１０４ａにより、算出された存在確率に基づいてプレゼンス情報が更新される（Ｓ３０７）。例えば、存在確率に基づいていずれか一のエリアが選択され、そのエリアに対応する状態情報および場所情報が、変換ルールテーブル１０２から読み出され、読み出された状態情報および場所情報でプレゼンス管理部１０４ａ内のプレゼンス情報は更新される。ユーザがエリア１とエリア２の間にいた場合は、６６％の確率でエリア２にユーザはいると判断され、エリア２に対応する状態情報および場所情報が読み出されるようにする。
【００７５】
また、別の判断手法として、存在確率が多い方のエリアにユーザはいる可能性が高いため、そのエリアに対応する状態情報および場所情報が、変換ルールテーブル１０２から読み出され、読み出された状態情報および場所情報でプレゼンス管理部１０４ａ内のプレゼンス情報は更新される。さらに、存在確率が予め定めた閾値以上の場合には、存在確率の高いエリアに対応する状態情報および場所情報は、変換ルールテーブル１０２から読み出されて更新され、存在確率が予め定めた閾値未満の場合には、直近に記憶されたプレゼンス情報を維持する処理が行われるようにしても良い。
【００７６】
このように、プレゼンス管理装置１００ｂにおいて、エリアごとにユーザが測位された測位回数を記憶しておき、この測位回数に基づいてユーザが存在する確率をエリアごとに算出して、この確率に基づいてユーザが存在する可能性が高いエリアを判断することができるため、ユーザが位置するエリアをより正確に把握することができ、そのエリアに対応するプレゼンス情報を読み出し把握することができる。
【００７７】
つぎに、上述した第１〜３の実施形態で示される、プレゼンス管理装置１００またはプレゼンス管理装置１００ｂを国内に配置し、ユーザの位置検出を行う対象範囲を海外に配置した場合における、プレゼンス管理装置１００またはプレゼンス管理装置１００ｂの動作について説明する。図１７は、プレゼンス管理装置１００を国内に配置し、位置検出の対象範囲となるエリア２００を海外に配置した場合のシステム構成を示すシステム構成図である。ここでは、プレゼンス管理装置１００を例に説明するが、プレゼンス管理装置１００ｂでも同様の動作を行うことができる。
【００７８】
図１７に示すように、プレゼンス管理装置１００は、国内公衆網と接続されている。この国内公衆網は、国際専用線網を経由して、外国で主に使用されているＧＳＭ（Global System for Mobile Communications）網／ＧＰＲＳ（General Packet RadioService）網と接続されている。ＧＳＭ網／ＧＰＲＳ網には、エリア２００がワイヤレスＬＡＮを用いて通信接続可能に形成されている。このエリア２００には、ワイヤレスＬＡＮの基地局２０１が配置されており、この基地局２０１は移動機３００の位置を示す位置情報（座標情報）を検出することができる。基地局２０１は、検出した移動機３００の位置を示す位置情報をプレゼンス管理装置１００に送信することができる。  
【００７９】
上述第１の実施形態に記載したように、プレゼンス管理装置１００では、エリア２００内で区別されている複数のエリアを示すエリア情報およびエリアごとのユーザの状態を示す状態情報を記憶している。図１７の例では、プレゼンス管理装置１００は、海外に配置されているエリア２００のエリア情報および状態情報を記憶している。そして、プレゼンス管理装置１００は、基地局２０１から送信される移動機３００の位置情報に基づいて（符号Ａ参照）、ユーザがどのエリアにいるかを判断する。そして、プレゼンス管理装置１００は、ユーザが位置するエリアに対応する状態情報を変換ルールテーブル１０２から読み出し、読み出した状態情報プレゼンス情報として記憶する。  
【００８０】
このように記憶したプレゼンス管理装置１００は、移動機３００または移動機３０１からの要求に応じて、プレゼンス情報を送信することができる（符号Ｂ、Ｃ参照）。移動機３００または移動機３０１では、送信されたプレゼンス情報を表示することで、移動機３００または移動機３０１のユーザは、プレゼンス情報の管理対象となるユーザがどこにいて、何をしているかを、どこにいても知ることができる。なお、移動機３０１のように、エリア２００外にいる場合であっても、ＧＳＭ／ＧＰＲＳ網を介した通信を行う環境にいる限り、移動機３０１もプレゼンス情報の要求を行うことができる。また、プレゼンス情報の要求を行う移動機が国内にいる場合であっても、同様に国内公衆網およびプレゼンス管理装置１００に通信接続することができる環境にいる限り、国内にいる移動機（図示せず）もプレゼンス情報の要求を行い、プレゼンス情報の取得をすることができる。  
【００８１】
つぎに、第１〜第３の実施形態におけるプレゼンス管理装置１００および１００ｂの作用効果について説明する。
【００８２】
第１の実施形態におけるプレゼンス管理装置１００は、複数のエリアを予め定めた間隔を空けて形成するように、エリアテーブル１０１および変換ルールテーブル１０２において、複数のエリアにおけるそれぞれのエリアの範囲を定義するエリア情報を、ユーザの状態を示す状態情報に対応付けて記憶しておく。そして、位置検出部１０３はユーザが所有する携帯端末の位置を検出する。プレゼンス管理部１０４は、位置検出部１０３により検出された携帯端末が位置するエリアに対応した状態情報を読み出すことで、携帯端末は一のエリアにいると判断した場合、読み出した状態情報をプレゼンス情報として記憶する。また、プレゼンス管理部１０４は、位置検出部１０３により検出された携帯端末の位置に対応したエリアをエリア情報に基づいて特定することができず、携帯端末は境界エリアにいると判断した場合、既に記憶しているプレゼンス情報を維持することができる。
【００８３】
これにより、携帯端末を保持するユーザが、一のエリアにいるにもかかわらず、一のエリアを越えた隣接する他のエリアに位置すると、プレゼンス管理部１０４において判断されることなく、エリア同士の予め定めた間隔内に存在する場合は、状態情報を読み出すことなく、既にプレゼンス管理部１０４が記憶しているプレゼンス情報を維持することで、携帯端末の位置検出における誤差に基づいて誤ってユーザの状態を認識することを防止することができ、プレゼンス管理部１０４は、ユーザが保持する携帯端末の位置に対応した正確なプレゼンス情報を記憶しておくことができる。また、境界エリアをエリア情報として定義していないことから、あらかじめ用意しておかなければならない情報の情報量を少なくすることができる。
【００８４】
また、第２の実施形態のプレゼンス管理装置１００は、複数のエリアを予め定めた間隔を空けて形成するように、エリアテーブル１０１および変換ルールテーブル１０２において、複数のエリアにおけるそれぞれのエリアの範囲を定義するエリア情報を、ユーザの状態を示す状態情報を対応付けて変換ルールテーブル１０２が記憶する。また、エリアテーブル１０１および変換ルールテーブル１０２において、複数のエリアにおけるエリア同士の間に密接して形成されている境界エリアの範囲を示すエリア情報を、境界エリアであることを示す識別情報に対応付けて記憶しておく。
【００８５】
そして、位置検出部１０３が、ユーザが所有する携帯端末の位置を検出する。プレゼンス管理部１０４は、位置検出部１０３により検出された携帯端末が位置するエリアを示すエリア情報に基づいて状態情報を読み出すことで、携帯端末は一のエリアにいると判断した場合、読み出した状態情報をプレゼンス情報として記憶する。また、プレゼンス管理部１０４は、位置検出部１０３により検出された携帯端末が位置するエリアのエリア情報に基づいて識別情報を読み出すことで、ユーザが位置するエリアが境界エリアと判断した場合、既にプレゼンス管理部１０４内に記憶しているプレゼンス情報を維持する処理を行うことができる。
【００８６】
これにより、携帯端末を保持するユーザが、一のエリアにいるにもかかわらず、一のエリアを越えた隣接する他のエリアに位置すると判断されることなく、エリア同士の予め定めた間隔内に存在する場合は、状態情報を読み出すことなく、既に記憶しているプレゼンス情報を維持することで、携帯端末の位置検出における誤差に基づいて誤ってユーザの状態を認識することを防止することができ、ユーザが保持する携帯端末の位置に対応した正確なプレゼンス情報を記憶しておくことができる。
【００８７】
第３の実施形態のプレゼンス管理装置１００ｂは、プレゼンス管理装置１００の構成に加えて、頻度テーブル１０７は、エリアを示すエリア情報ごとに、携帯端末の位置を測位した測位回数を記憶しておく。そして、プレゼンス管理部１０４ａは、境界エリアに携帯端末がいると判断した場合、既に記憶しているプレゼンス情報を維持する処理を行うことに代えて、頻度テーブル１０７に記憶されている測位回数に基づいてユーザが位置するエリアを判断し、判断したエリアのエリア情報に基づいて、ユーザの状態情報を変換ルールテーブル１０２から読み出し、記憶することができる。これにより、統計情報に基づいた処理を行うことができ、過去の情報に基づいてユーザが位置しているエリアを判断することができ、判断したエリアのエリア情報に基づいた正確なプレゼンス情報の管理を行うことができる。
【図面の簡単な説明】
【００８８】
【図１】（ａ）が従来の技術の概要を示し、（ｂ）が第１の実施形態の概要を示す概要図である。
【図２】プレゼンス管理装置１００のブロック構成図である。
【図３】エリアテーブル１０１の具体例を示す説明図である。
【図４】変換ルールテーブル１０２の具体例を示す説明図である。
【図５】第１の実施形態のプレゼンス管理装置１００の動作を示すフローチャートである。
【図６】座席２０１と２つの会議室２０３ａおよび２０３ｂとからなるオフィス２００の概要を示す概要図である。
【図７】オフィス２００に対して、複数のエリアを形成した模式図である。
【図８】エリア１〜７を形成するためのエリア情報を示す説明図である。
【図９】エリア１〜７および圏外エリアに対応するプレゼンス情報を示す説明図である。
【図１０】第２の実施形態におけるエリアテーブル１０１に記憶されるエリア情報を示す説明図である。
【図１１】変換ルールテーブル１０２に記憶されているプレゼンス情報を示す説明図である。
【図１２】第２の実施形態におけるプレゼンス管理装置１００の動作を示すフローチャートである。
【図１３】第２の実施形態における、オフィス２００に対して、複数のエリアおよび境界エリアを形成した模式図である。
【図１４】第３の実施形態におけるプレゼンス管理装置１００ｂのブロック構成図である。
【図１５】頻度テーブル１０７に記憶されている頻度情報を示す説明図である。
【図１６】第３の実施形態におけるプレゼンス管理装置１００ｂの動作を示すフローチャートである。
【図１７】プレゼンス管理装置１００を国内に配置し、位置検出の対象範囲となるエリア２００を海外に配置した場合のシステム構成を示すシステム構成図である。
【符号の説明】
【００８９】
１００…プレゼンス管理装置、１００ａ…プレゼンス管理装置、１００ｂ…プレゼンス管理装置、１０１…エリアテーブル、１０２…変換ルールテーブル、１０３…位置検出部、１０４…プレゼンス管理部、１０４ａ…プレゼンス管理部、１０５…通信部、１０６…表示部、１０７…頻度テーブル。
【図１】
0004659576.tif 000002
【図２】
0004659576.tif 000003
【図３】
0004659576.tif 000004
【図４】
0004659576.tif 000005
【図５】
0004659576.tif 000006
【図６】
0004659576.tif 000007
【図７】
0004659576.tif 000008
【図８】
0004659576.tif 000009
【図９】
0004659576.tif 000010
【図１０】
0004659576.tif 000011
【図１１】
0004659576.tif 000012
【図１２】
0004659576.tif 000013
【図１３】
0004659576.tif 000014
【図１４】
0004659576.tif 000015
【図１５】
0004659576.tif 000016
【図１６】
0004659576.tif 000017
【図１７】
0004659576.tif 000018